(57)【要約】【課題】  各店舗に対応した複数のカードをユーザ自身が忘れたり保有していなかったりした場合でも各店舗において必要とする各種の情報を得ることができるようにする。【解決手段】  各店舗に対応して複数のカードに付与してある記録媒体によるコード情報を携帯電話機Ｋに取り込むユーザ側コード読込手段１と、該ユーザ側コード読込手段１によって取り込んだコード情報のうち各店舗に対応したコード情報を当該店舗側にて前記携帯電話機Ｋから読み取る店舗側コード読取手段２と、前記ユーザ側コード読込手段１によって取り込んだコード情報をサーバにより一括管理可能にしたサーバ側コード管理手段３を含む構成とする。【選択図】      図１
2006252332.tif 000002
【特許請求の範囲】
【請求項１】
各店舗に対応した複数のカードに付与されている様々な記録媒体によるコード情報を携帯電話機に取り込むユーザ側コード読込手段と、該ユーザ側コード読込手段によって取り込んだコード情報のうち各店舗に対応したコード情報を当該店舗側にて前記携帯電話機から読み取る店舗側コード読取手段とを備えて成ることを特徴とするカード情報認証システム。
【請求項２】
前記ユーザ側コード読込手段によって取り込んだコード情報に基づく各店舗に応じた動画、静止画等の画像を前記携帯電話機によって再生可能とした再生手段を含む請求項１記載のカード情報認証システム。
【請求項３】
前記ユーザ側コード読込手段によって取り込んだコード情報をサーバにより一括管理可能にしたサーバ側コード管理手段を含む請求項１又は２記載のカード情報認証システム。
【発明の詳細な説明】
【技術分野】
【０００１】
本発明は、例えばショッピングカード等の各店の発行した各種のカードに付与されている二次元コード（以下ＱＲコード（登録商標）と称す）やＩＣチップ等のコード情報を一括して管理可能にしたカード情報認証システムに関する。
【背景技術】
【０００２】
近年、多くのユーザが例えばショッピングカード等の異なる店舗で発行した各種のカードを保有し、財布等に保管している。そして、店舗で買物をする際には、これらのカードの中で当該店舗に対応したカードを使用し、ユーザは、このカードに付与されているバーコードやＱＲコード、ＩＣチップ等の記録媒体を使って例えば獲得利点ポイント等を得るようにしている。このように、例えばヨドバシカメラ店の発行した特定のカードであればヨドバシカメラ店のみでこのカードの使用が可能となっており、各店舗に対応した複数のカードがそれぞれ別個に機能しているのみであった。
【特許文献１】特開２００３−１０１６７７号公報
【発明の開示】
【発明が解決しようとする課題】
【０００３】
しかしながら、従来のように各店舗に対応した複数のカードがそれぞれ別個に機能しているため、これらのカードをユーザ自身が忘れたり保有していなかったり、更には紛失してしまったりした場合には、ユーザは当該店舗において獲得利点ポイント等を得ることができなくなってしまう。
【０００４】
そこで本発明は叙上のような従来存した諸事情に鑑み創案されたもので、各店舗に対応した複数のカードをユーザ自身が忘れたり保有していなかったり、更には紛失してしまったりした場合でも、予め携帯電話機に記憶されている各種カードの記録媒体の情報から当該店舗において必要とする各種の情報を得ることができるようにしたカード情報認証システムを提供することを目的とする。
【課題を解決するための手段】
【０００５】
上記した課題を解決するため、本発明にあっては、様々な店舗に対応した複数のカードに付与されている記録媒体によるコード情報を携帯電話機に取り込むユーザ側コード読込手段と、該ユーザ側コード読込手段によって取り込んだコード情報のうち各店舗に対応したコード情報を当該店舗側にて前記携帯電話機から読み取る店舗側コード読取手段とを備えて成るものである。
また、前記ユーザ側コード読込手段によって取り込んだコード情報に基づく各店舗に応じた動画、静止画等の画像を前記携帯電話機によって再生可能とした再生手段を含むことができる。
更に、前記ユーザ側コード読込手段によって取り込んだコード情報をサーバにより一括管理可能にしたサーバ側コード管理手段を含むことができる。
【０００６】
以上のように構成された本発明に係るカード情報認証システムにあって、ユーザは自身が所有する複数のカードに付与されている各店舗に対応した自前の記録媒体によるコード情報をユーザ側コード読込手段によって全て携帯電話機に取り込み、それらのコード情報を所定の管理会社におけるサーバ側コード管理手段により一括管理させる。そして、それらのコード情報を各店舗に用意されている店舗側コード読取手段によって携帯電話機から読み取らせ、当該店舗での例えば獲得利点ポイント等のポイント数を加算させることが可能となる。
【発明の効果】
【０００７】
本発明によれば、各店舗に対応した複数のカードをユーザ自身が忘れたり保有していなかったり、更には紛失してしまったりした場合でも、予め携帯電話機に記憶されている各種カードのＱＲコード等の記録媒体の情報から当該店舗において必要とする各種の情報を得ることができる。
【０００８】
また、ユーザ自らがカードを持ち歩く必要がないため、他人によるカードの偽造、改竄、或いは紛失等の心配が無くなりセキュリティも万全なものとすることができる。更に、本システムは、カードの種類としてショッピングカードの他に、例えば全日空等の各種旅行やイベントの予約をスタートとして、メンバーズカード、スイカ、金銭出し入れのためのキャッシングカード等にも広範囲に応用することができる。
【発明を実施するための最良の形態】
【０００９】
以下図面を参照して本発明を実施するための最良の一形態を説明すると、図において示される符号Ｐは、複数カード情報を認証するためのカード情報認証システムの概略構成を示すものであり、ＱＲコード等の記録媒体によるコード情報を付与した各店舗に応じた複数カードから特定の店舗に対応するコード情報を認証可能にしている。
【００１０】
すなわち、カード情報認証システムＰは、図１に示すように、例えば、各店舗に対応する複数のショッピングカードＳに付与されている記録媒体による各コード情報をユーザ側所有のカメラ付の携帯電話機Ｋによって全て読み込んで記憶可能とするユーザ側コード読込手段１と、それらのコード情報を各店舗側において携帯電話機Ｋからリーダで読み取らせて当該店舗において必要とする情報を得ることで、例えばユーザに対し獲得利点ポイント等のポイント数の加算や更新を可能にした店舗側コード読取手段２と、それらのコード情報を所定の管理会社で一括管理させるために通信ネットワークを介して携帯電話機Ｋと双方向データ通信可能にしたパーソナルコンピュータを備えたサーバ側コード管理手段３とによって概ね構成されている。
【００１１】
尚、コード情報としてはＱＲコード以外に一次元コードであるバーコード、文字情報コード、磁気情報コード及びＩＣチップ情報等が可能であり、しかも複数のカードから読み込まれた各種コード情報は、例えばＱＲコード読込用のカメラを備えていない他の携帯電話機Ｋ、或いはユーザ側のパーソナルコンピュータ等に転送し保存しておくことも可能である。また、ショッピングカードＳ以外に例えばメンバーズカード、スイカ、金銭出し入れのためのキャッシングカード等その他のカードであっても良い。
【００１２】
また、携帯電話機Ｋは、ショッピングカードＳからユーザ側コード読込手段１によって読み込んだ記録媒体によるコード情報に基づく動画や静止画等の再生手段４によって携帯電話機Ｋの表示画面に再生させるようにしている。
【００１３】
すなわち、携帯電話機Ｋには、ショッピングカードＳに印刷されている記録媒体を読み込んでデコードするためのユーザ側コード読込手段１として、例えば光学的読込可能な二次元ＣＣＤと、ＱＲコード照明用のＬＥＤ等を有するコードリーダ部を携帯電話機Ｋのカメラ内部に備えている。
【００１４】
そして、このＬＥＤによって読込対象部分であるショッピングカードＳにおける記録媒体の印刷部分Ｒを照明し、二次元ＣＣＤはＬＥＤの反射光をレンズを介して受けて露光し、コードのパターンを記憶する。この二次元ＣＣＤに記憶されたコードのパターンは携帯電話機Ｋの制御回路により読み出されてデコードされ、再生手段４として例えばＶＲＡＭにより液晶画面等による携帯電話機Ｋの表示部に動画像となって再生されるようにしている。
【００１５】
また、図２に示すように、ユーザ側コード読込手段１は、ショッピングカードＳ上の記録媒体で携帯電話機ＫにＵＲＬを読み込ませ、携帯用ＷＥＢサイトへアクセスすることで当該携帯電話機Ｋの表示部から動画により、例えば店舗、ホテル、マンション、映画予約、最新車両販売、テレビショッピング等のオリジナル紹介情報を見ることができるようにしている。
【００１６】
しかもこのような場合でも、複数のショッピングカードＳ上の記録媒体をユーザ側コード読込手段１によって全て読み込ませて記憶し、これらの全てのコード情報を携帯電話機Ｋから所定の管理会社におけるパーソナルコンピュータに転送し、そこでサーバ側コード管理手段３により各コード情報が一括して管理されるようにしている。
【００１７】
また、ユーザ側の携帯電話機Ｋのメールアドレスを変更した場合には、この新規のメールアドレスがサーバ側のパーソナルコンピュータを通じて自動更新され、サーバ側コード管理手段３により再管理されるようにしている。また、ユーザ側の各種のコード情報も、更新されたメールアドレスの会員カードを通じて得ることができるようにしている。こうすることで、ユーザ側の携帯電話機Ｋのメールアドレスが予告なしに変更されても、大切なメールがユーザ側の携帯電話機Ｋに届かないものとなる事態を未然に防止できるものとなる。
【００１８】
次に、本構成による使用・動作について説明すると、ユーザは自身が所有する複数のショッピングカードＳに付与されている各店舗に対応した自前の記録媒体によるコード情報をユーザ側コード読込手段１によって全て携帯電話機Ｋ内に取り込んでおく。
【００１９】
このとき、これら全てのコード情報を携帯電話機Ｋから所定の管理会社におけるパーソナルコンピュータに転送し、そこでサーバ側コード管理手段３により各コード情報が一括して管理される。
【００２０】
そして、ユーザが特定の店舗で買物をするときには、当該店舗に応じたショッピングカードＳを所有していなくても、それらのうち必要とするコード情報を当該店舗に用意されている店舗側コード読取手段２であるリーダによって携帯電話機Ｋから読み取らせ、当該店舗において必要とする情報を得ることで認証される。こうすることで当該店舗での例えば獲得利点ポイント等のポイント数を加算する等の処理が可能となる。
【図面の簡単な説明】
【００２１】
【図１】本発明を実施するための最良の形態を示す概略構成図である。
【図２】同じくショッピングカードの記録媒体印刷部分を携帯電話機のカメラによって読み込み、ＷＥＢサイトへアクセスする状態の斜視図である。
【符号の説明】
【００２２】
Ｐ      カード情報認証システム
Ｓ      ショッピングカード
Ｋ      携帯電話機
Ｒ      印刷部分  
１      ユーザ側コード読込手段
２      店舗側コード読取手段
３      サーバ側コード管理手段
４      再生手段
【図１】
2006252332.tif 000003
【図２】
2006252332.tif 000004